(57)【要約】【課題】紙葉類処理装置において異なる幅の紙葉類を安定して搬送する。【解決手段】本発明に係る紙葉類処理装置は、搬送機構によって紙葉類を搬送した後、リンクを第２の位置に位置させて、紙葉類収納機構に紙葉類をさせる第１処理と、リンクを第１の位置に位置させた状態で搬送機構によって紙葉類を搬送した後、リンクを第２の位置に位置させて、紙葉類収納機構に紙葉類を収納させる第２処理と、を連動機構にて実行することを特徴とする。【選択図】図６
2015118692.tif 000002
【特許請求の範囲】
【請求項１】
挿入された紙葉類の幅を検出する入口センサと、
挿入された紙葉類を搬送する搬送路と、
前記搬送路に設けられ挿入された紙葉類を搬送する搬送機構と、
前記搬送路の幅方向に移動自在に設けられた可動壁と、
前記可動壁を移動させる幅可変機構と、
前記搬送機構によって搬送された紙葉類を紙葉類収納部に収納する紙葉類収納機構と、
前記幅可変機構と前記紙葉類収納機構を動作させる連動機構と、
制御部と、を備え、
前記連動機構は、駆動源の駆動力によって移動可能なリンクを有し、
前記リンクが基準位置に位置する場合、前記幅可変機構は、前記搬送路が第１の幅となるように前記可動壁を位置させ、
前記リンクが第１の位置に位置する場合、前記幅可変機構は、前記搬送路が第２の幅となるように前記可動壁を位置させ、
前記リンクが第２の位置に位置する場合、前記紙葉類収納機構に紙葉類を収納させ、
前記制御部は、前記入口センサで検出された紙葉類の幅に応じて第１処理、もしくは、第２処理を実行するものであって、
前記第１処理は、前記リンクを前記基準位置に位置させた状態で前記搬送機構によって紙葉類を搬送した後、前記リンクを前記第２の位置に位置させて、前記紙葉類収納機構に紙葉類を収納させ、
前記第２処理は、前記リンクを前記第１の位置に位置させた状態で前記搬送機構によって紙葉類を搬送した後、前記リンクを前記第２の位置に位置させて、前記紙葉類収納機構に紙葉類を収納させる
紙葉類処理装置。
【請求項２】
前記搬送路の前記第１の幅は、前記搬送路の前記第２の幅よりも広い
請求項１に記載の紙葉類処理装置。
【請求項３】
前記リンクは、回転運動するカムによって移動可能とし、前記カムの１回転中に、前記リンクを前記基準位置、前記第１の位置、及び、前記第２の位置に位置させる
請求項１に記載の紙葉類処理装置。
【請求項４】
前記第１処理は、前記紙葉類収納機構による紙葉類の収納前に、後続する紙葉類の挿入を検出した場合、前記リンクを前記第１の位置を通過させずに前記第２の位置に位置させて、前記紙葉類収納機構に紙葉類を収納させる
請求項２に記載の紙葉類処理装置。
【請求項５】
前記リンクは、回転運動するカムによって移動可能とし、前記カムを正回転もしくは逆回転することによって、前記リンクを前記基準位置から前記第１の位置を通過させずに、前記第２の位置に位置さることで、前記紙葉類収納機構による紙葉類の収納を可能とすることを特徴とする
請求項４に記載の紙葉類処理装置。
【発明の詳細な説明】
【技術分野】
【０００１】
本発明は、自動販売機、両替機、ゲーム機などに搭載され、紙葉類の真偽を識別し、真券と判断した紙葉類を収納する紙葉類処理装置に関し、特に、幅の異なる２種類の紙葉類を安定して搬送しさらに１つの収納部に収納する技術に関する。
【背景技術】
【０００２】
一般に、紙幣を取り扱う自動販売機等の機器本体内部には、投入された紙幣が真券であるか否かを判別するとともに、真券と判別された紙幣のみを収容する紙幣処理装置が搭載されている。
【０００３】
このような紙幣処理装置は、紙幣投入口から投入された紙幣を、紙幣搬送路を介して搬送し、紙幣搬送通路内に設けられた各種識別センサによって紙幣の真偽を判別する。さらに、真券と判別された紙幣を、紙幣搬送路の下流端であって紙幣収納部に対向する位置である紙幣収納位置まで搬送し、紙幣収納機構によって紙幣収納部へ収納する。
【０００４】
紙幣収納機構は、紙幣収納部と搬送路を介して対向する位置に設けられ、紙幣収納位置にある紙幣を紙幣搬送路から紙幣収納部へと押し込む紙幣押圧板と、紙幣押圧板を紙幣収納部内へ移動させる往復機構とを備える。
【０００５】
ところで、このような紙幣処理装置では、市場に流通する幅の異なる紙幣に対応するため各種試みが行われている。
【０００６】
特許文献１には、紙幣幅検出センサによって、挿入される紙幣の幅を検出し、紙幣の幅方向に設けられた可動壁を移動させることで、紙幣上、予め定められた場所の特徴を検出するとともに、紙幣の姿勢を規制した状態で紙幣収納部へ収納する紙幣識別装置が開示されている。
【先行技術文献】
【特許文献】
【０００７】
【特許文献１】特開２００５−３３８９９０号公報
【発明の概要】
【発明が解決しようとする課題】
【０００８】
特許文献１に開示される紙幣識別装置にみられるように、紙葉類処理装置では、複数の紙幣幅の識別精度を高めること等を目的として、紙幣の搬送方向を揃えることが行われている。特許文献１では、紙幣の挿入口から収納部までの紙幣搬送路略全域にわたって設けられた可動壁を移動させることで、幅の異なる紙幣の安定搬送を実現している。したがって、特許文献１に開示される紙幣識別装置では、可動壁を移動させるための専用の駆動機構が必要となる。紙幣識別装置では、紙幣を搬送するための駆動機構や紙幣を収納するための駆動機構等が設けられており、このように別途、可動壁を移動させるための駆動機構を設けた場合、部品点数の増加を伴うこととなる。したがって、紙幣識別装置内において大きな空間を必要とするとともに駆動機構も複雑となるため、小型化、低コスト化並びにメンテナンス性の面において支障となっている。
【０００９】
本発明は、幅の異なる紙葉類（紙幣を含む）を搬送する紙葉類処理装置において、その駆動機構を簡易な構成で実現し、紙葉類処理装置の小型化、低コスト化並びにメンテンナンス性の向上を図ることを目的としている。
【課題を解決するための手段】
【００１０】
このような課題を解決するため本発明に係る紙葉類処理装置は、以下の構成を採用する。
【００１１】
挿入された紙葉類の幅を検出する入口センサと、
挿入された紙葉類を搬送する搬送路と、
前記搬送路に設けられ挿入された紙葉類を搬送する搬送機構と、
前記搬送路の幅方向に移動自在に設けられた可動壁と、
前記可動壁を移動させる幅可変機構と、
前記搬送機構によって搬送された紙葉類を紙葉類収納部に収納する紙葉類収納機構と、
前記幅可変機構と前記紙葉類収納機構を動作させる連動機構と、
制御部と、を備え、
前記連動機構は、駆動源の駆動力によって移動可能なリンクを有し、
前記リンクが基準位置に位置する場合、前記幅可変機構は、前記搬送路が第１の幅となるように前記可動壁を位置させ、
前記リンクが第１の位置に位置する場合、前記幅可変機構は、前記搬送路が第２の幅となるように前記可動壁を位置させ、
前記リンクが第２の位置に位置する場合、前記紙葉類収納機構に紙葉類を収納させ、
前記制御部は、前記入口センサで検出された紙葉類の幅に応じて第１処理、もしくは、第２処理を実行するものであって、
前記第１処理は、前記リンクを前記基準位置に位置させた状態で前記搬送機構によって紙葉類を搬送した後、前記リンクを前記第２の位置に位置させて、前記紙葉類収納機構に紙葉類を収納させ、
前記第２処理は、前記リンクを前記第１の位置に位置させた状態で前記搬送機構によって紙葉類を搬送した後、前記リンクを前記第２の位置に位置させて、前記紙葉類収納機構に紙葉類を収納させることを特徴とする。
【００１２】
さらに本発明に係る紙葉類処理装置において、
前記搬送路の前記第１の幅は、前記搬送路の前記第２の幅よりも広いことを特徴とする。
【００１３】
さらに本発明に係る紙葉類処理装置において、
前記リンクは、回転運動するカムによって移動可能とし、前記カムの１回転中に、前記リンクを前記基準位置、前記第１の位置、及び、前記第２の位置に位置させることを特徴とする。
【００１４】
さらに本発明に係る紙葉類処理装置において、
前記第１処理は、前記紙葉類収納機構による紙葉類の収納前に、後続する紙葉類の挿入を検出した場合、前記リンクを前記第１の位置を通過させずに前記第２の位置に位置させて、前記紙葉類収納機構に紙葉類を収納させることを特徴とする。
【００１５】
さらに本発明に係る紙葉類処理装置において、
前記第２処理は、前記リンクを前記第１の位置に位置させた状態で前記搬送機構によって紙葉類を搬送し、前記リンクを前記基準位置に変更した後、前記紙葉類収納機構による紙葉類の収納前に、後続する紙葉類の挿入を検出した場合、前記リンクを前記第１の位置を通過させずに前記第２の位置に位置させて、前記紙葉類収納機構に紙葉類を収納させることを特徴とする。
【００１６】
さらに本発明に係る紙葉類処理装置において、
前記リンクは、回転運動するカムによって移動可能とし、前記カムを正回転もしくは逆回転することによって、前記リンクを、前記基準位置から前記第１の位置を通過させずに、前記第２の位置に位置させることで、前記紙葉類収納機構による紙葉類の収納を可能とすることを特徴とする。
【発明の効果】
【００１７】
本発明の紙葉類処理装置によれば、幅の異なる紙葉類（紙幣を含む）を搬送する紙葉類処理装置において、幅可変機構と紙葉類収納機構を、１つの駆動源の駆動力によって動作する連動機構にて動作させることで、紙葉類処理装置に必要な部品点数を削減するとともに、その構成の簡略化可能とし、紙葉類処理装置の小型化、低コスト化並びにメンテンナンス性の向上を図ることが可能となる。
【００１８】
さらに本発明の紙葉類処理装置では、幅可変機構と紙葉類収納機構を連動させる連動機構を使用する構成において、紙葉類が連続して挿入された場合、幅可変機構による幅可変動作を実行することなく、前に挿入された紙葉類に対して収納動作を実行するように制御するようにしたことで、後続する紙葉類の挿入を妨げることなく、紙葉類の連続した挿入を可能とし、紙葉類を迅速に取り扱うことを可能としている。
【図面の簡単な説明】
【００１９】
【図１】本発明の実施形態に係る紙幣処理装置の外観斜視図
【図２】本発明の実施形態に係る紙幣処理装置の正面図（前部カバー取外し時）
【図３】本発明の実施形態に係る搬送ユニットの正面図、側面図
【図４】本発明の実施形態に係る紙幣処理装置の紙幣搬送を説明するための断面図
【図５】本発明の実施形態に係る紙幣処理装置の紙幣搬送路を説明するための図
【図６】本発明の実施形態に係る連動機構の斜視図
【図７】本発明の実施形態に係る搬送ユニットの動作を説明するための図
【図８】本発明の実施形態に係る連動機構を示す図（初期状態）
【図９】本発明の実施形態に係る連動機構を示す図（幅狭時）
【図１０】本発明の実施形態に係る連動機構を示す図（幅狭時、紙幣収納機構の上死点）
【図１１】本発明の実施形態に係る紙幣収納箱近傍の構成を示す斜視図
【図１２】本発明の実施形態に係る固定壁、可動壁が形成する紙幣搬送路を説明する図
【図１３】本発明の実施形態に係る紙幣収納機構の構成を説明するための断面図
【図１４】本発明の実施形態に係る紙幣収納機構の動作を説明するための断面図
【図１５】本発明の実施形態に係るカムの状態に対する各種状態を説明するための図
【図１６】本発明の実施形態に係る紙幣処理装置の制御構成を示すブロック図
【図１７】本発明の実施形態に係る紙幣処理装置の紙幣受入処理を示すフロー図
【図１８】本発明の実施形態に係るカムの状態に対する各種動作の関係を示す図
【図１９】本発明の他の実施形態に係る紙幣受入処理を示すフロー図（１）
【図２０】本発明の他の実施形態に係る紙幣受入処理を示すフロー図（２）
【発明を実施するための形態】
【００２０】
では、紙葉類処理装置について、真偽判定対象を紙幣とする紙幣処理装置を例にとって説明する。本発明の紙葉類処理置は、この紙幣処理装置のように識別対象を紙幣とするのみならず、金券、クーポン券、有価証券など各種紙葉類を、その識別対象とすることが可能である。
【００２１】
図１は、本発明の実施形態に係る紙幣処理装置１の外観斜視図である。この紙幣処理装置は、自動販売機、両替機、ゲーム機など、各種機器にユニットとして組み込まれ、紙幣挿入口１２ａから挿入される紙幣を取り込んで真偽判定し、商品やサービス提供のために使用される金額の認識を行う。
【００２２】
紙幣処理装置１は、従来の紙幣処理装置と同様に、紙幣挿入口１２ａに連結した搬送路と搬送路内に配置された搬送ベルトと識別センサによって、紙幣挿入口１２ａに挿入された紙幣を装置内部に案内するとともに紙幣の真贋や金種を識別する。
【００２３】
この紙幣処理装置１は、筐体１１と筐体１１の前面に設けられた前部カバー１２を備えて構成される。前部カバー１２には、紙幣挿入のための開口（紙幣挿入口１２ａ）と搬送路の前面側の通路壁の一部分等が設けられている。なお、紙幣処理装置１について各種説明を行うための座標を左下に定義しておく。紙幣処理装置１の横方向をＸ軸、縦方向をＹ軸、奥行き方向をＺ軸として規定する。図２には、前部カバー１２を取り外したときの、紙幣処理装置１の正面図が示されている。
【００２４】
前部カバー１２を取り外した筐体１１の窓からは、紙幣を搬送する搬送ユニット２０の一部が見て取れる。図３には、この搬送ユニット２０の正面図（Ａ）、及び、側面図（Ｂ）が示されている。搬送ユニット２０は、紙幣挿入口１２ａから挿入された紙幣の幅、及び、挿入を検出するための入口センサ６１Ｒ、６１Ｌ、搬送路を紙幣幅に合わせるための可動壁３５Ｒ、３５Ｌ、そして、紙幣を搬送するための搬送ベルト２４Ｒ、２４Ｌを備えている。
【００２５】
図３（Ｂ）には、紙幣挿入口１２ａから挿入された紙幣の紙幣搬送路Ｃが矢印で示されている。紙幣挿入口１２ａに挿入された紙幣は、入口センサ６１Ｒ、６１Ｌで紙幣の挿入及び紙幣の幅が検出される。検出された紙幣の幅に応じて可動壁３５Ｒ、３５Ｌが動作する。本実施形態では、初期状態において、両可動壁３５Ｒ、３５Ｌ間の距離は、幅が広い紙幣に合った状態となっており、幅が狭い紙幣が検出されることで、可動壁３５Ｒ、３５Ｌが内側に移動し、両可動壁３５Ｒ、３５Ｌ間の距離は、幅の狭い紙幣に合った状態となる。前部カバー１２が取り付けられた筐体１１内に搬送ユニット２０が装着されることで、搬送ユニット２０と前部カバー１２との間及び搬送ユニット２０と筐体１１の間に紙幣搬送路が形成される。
【００２６】
紙幣搬送路には、駆動プーリ２１Ｒ、２１Ｌ、従動プーリ２２Ｒ、２２Ｌ、２３Ｒ、２３Ｌに巻き掛けられた搬送ベルト２４Ｒ、２４Ｌが面している。紙幣挿入口１２ａに挿入された紙幣は、Ｕ字形に形成された紙幣搬送路Ｃを経由して、筐体１１の下方に位置する紙幣収納箱４２側に搬送される。このように本実施形態では、Ｕ字形の紙幣搬送路Ｃを採用することで、紙幣処理装置１の薄型化、並びに、小型化が図られている。
【００２７】
図４は、本発明の実施形態に係る紙幣処理装置１について、ＹＺ平面での断面図を示したものである。ここでは、紙幣挿入口１２ａから挿入された紙幣が、紙幣収納箱４２に格納される機構を説明する。紙幣挿入口１２ａから紙幣搬送路１５に挿入された紙幣は、搬送機構によって紙幣搬送路１５の奥方向へと搬送される。搬送機構は、第１駆動源３１、駆動プーリ２１Ｒ、従動プーリ２２Ｒ、２３Ｒ、搬送ベルト２４Ｒ、従動ローラ２５Ｒ〜２９Ｒを備えている。なお、本実施形態では、駆動プーリ２１Ｒ、従動プーリ２２Ｒ、２３Ｒ、搬送ベルト２４Ｒ、従動ローラ２５Ｒ〜２９Ｒを、搬送される紙幣の幅方向に２組備えて構成されている。図中の符号Ｒは、紙幣処理装置１の正面から見て右側に位置する組を示している。以下の説明では、右側に位置する組の搬送機構について説明を行うが、左側に位置する組についても第１駆動源３１にて同様に駆動される。
【００２８】
第１駆動源３１は、駆動プーリ２１Ｒを回転駆動させる。第１駆動源３１は、モータ等の回転駆動力を発生する部材であり、第１駆動源３１にて発生した回転駆動力は、図示しないギア等の伝達機構にて駆動プーリ２１Ｒを回転駆動させる。搬送ベルト２４Ｒは、駆動プーリ２１Ｒ、従動プーリ２２Ｒ、２３Ｒに巻き掛けられるとともに、従動ローラ２５Ｒ〜２９Ｒに、その外周を支持されて配置されている。紙幣挿入口１２ａから挿入された紙幣は、搬送ベルト２４Ｒと従動ローラ２５Ｒ〜２９Ｒに挟持されて、紙幣搬送路１５の奥方向へと搬送される。
【００２９】
紙幣搬送路１５を搬送される紙幣は、その搬送途中に識別センサ（後で説明する）によって、その真贋判定、種別判定が実行される。真贋判定にて本物であることが判定された紙幣は、紙幣収納箱４２に対向する位置まで搬送され、紙幣収納機構４１の押圧部４１１によって、Ｚ軸正の方向に押圧され、紙幣収納箱４２内の紙幣収納部４２３に格納される。この紙幣収納機構４１は、モータ等の第２駆動源３２によって駆動され、紙幣を紙幣収納箱４２に格納する際、板状の押圧部４１１をＺ軸方向に移動させる。また、紙幣収納箱４２には、円錐コイルばね４２２で支持されたプレート４２１が設けられている。
【００３０】
さらに、紙幣処理装置１では、不正行為防止のため紙幣搬送路１５を閉鎖するシャッター４５が設けられている。このシャッター４５は、ソレノイド４６の駆動力によって紙幣搬送路１５に設けられた貫通孔１６４を閉鎖し、真贋判定実行後の紙幣が紙幣挿入口１２ａ側に戻らないようにしている。このような機構により、紙幣に糸を取り付け、真贋判定実行後の紙幣を紙幣挿入口１２ａ側に引き抜く不正行為を抑制することを可能としている。
【００３１】
次に、紙幣処理装置１の紙幣の挿入、及び、紙幣の幅を検出する入口センサの構成を説明する。図５は、紙幣処理装置１の紙幣搬送路の分岐、並びに、入口センサ、識別センサの配置を説明するための断面図である。図３の紙幣搬送において説明を行ったように、紙幣処理装置１は、入口センサと識別センサを備えている。入口センサは、紙幣挿入口１２ａ近傍の紙幣搬送路１５内に配置されている。入口センサは、紙幣挿入口１２ａから紙幣が挿入されたこと、及び、紙幣の幅を検出するセンサであって、本実施形態では、複数の発光素子６２、複数の受光素子６４、複数の導光部６３ａ〜６３ｃを有して構成されている。導光部６３ａ〜６３ｃには、プリズム等、光路の方向を変更する光学素子が使用可能である。
【００３２】
発光素子６２は、ＬＥＤなどで構成され、常時、あるいは、パルス状に導光部６３ｂに向かって光を照射する。発光素子６２から照射された光は、導光部６３ｂを通過後、導光部６３ｃに入射する。導光部６３ｃは、紙幣搬送路６３に面する受光面と照射面を有し、受光面から入射した光を内部反射によって照射面から照射させる。したがって、導光部６３ｂから紙幣搬送路１５に向かって照射された光は、導光部６３ｃによって、紙幣搬送路１５を隔てた受光素子６４側に戻され、受光素子６４によって受光される。
【００３３】
紙幣搬送路１５内に紙幣が挿入された場合、受光素子６４に戻る光は紙幣にて遮蔽され、受光素子６４に入射する光は減衰を生じる。特に、この実施形態では、紙幣によって、発光素子６２からプリズム６３ｂに入射する光（往路）、及び、プリズム６３ｃから受光素子６４に入射する光（復路）の両方に対して、紙幣による減衰が行われるため、紙幣挿入時の減衰量を十分に取り、紙幣挿入口１２ａ等から入射する外乱光による誤検出の抑制が図られている。また、本実施形態の入口センサは、複数の受光素子間での受光量の違いから挿入される紙幣の両端付近の挿入を検知することで、挿入された紙幣の幅を検出することが可能となっている。
【００３４】
以上、紙幣の挿入、及び、紙幣の幅を検出する入口センサの構成について説明したが、入口センサの構成は、このような光学式のセンサに限られるものでは無く、機械的に紙幣の挿入状態、及び、紙幣の幅を検出する形態など、各種形態を採用することが可能である。
【００３５】
一方、紙幣の真贋、並びに、券種を識別する識別センサは、紙幣搬送路１５を跨いで配置される発光素子６５と受光素子６６の組を有して構成される。図５では１組の発光素子６５と受光素子６６の１組が示されているが、実際には、発光素子６５と受光素子６６は、複数配置されており、紙幣の幅方向の複数箇所において紙幣の特性を検出することが可能となっている。
【００３６】
本発明の実施形態に係る紙幣処理装置１では、幅の異なる紙幣を安定して搬送するため、入口センサで検出された紙幣の幅に応じて可動壁３５Ｒ、３５Ｌを移動させる幅可変機構を備えている。また、紙幣処理装置１は、搬送ベルト２４Ｒ、２４Ｌによって搬送された紙幣を紙幣収納部４２３に格納するため、紙幣収納機構４１を備えている。本発明では、幅可変機構と紙幣収納機構４１の動作を連動させる連動機構を有することで、紙幣処理装置１の部品点数を削減すると共に構成の簡略化を図ることを可能としている。このような構成により、本発明に係る紙幣処理装置１は、装置の小型化、コスト削減、メンテナンス性の向上が図られている。
【００３７】
図６には、幅可変機構と紙幣収納機構とを連動させる連動機構の斜視図が示されている。図６に示す連動機構の斜視図は、座標系に示されるように、図１の紙幣処理装置１について、裏面方向から眺めた状態である。連動機構は、モータ等、駆動力発生源としての第２駆動源３２、第２駆動源３２で発生した駆動力をカム７２の回転に変換する伝達部７３、カム７２の回転に連動して上下方向（Ｙ軸方向）に移動する主リンク７１（本発明における「リンク」）を有している。本実施形態では、カム７２の回転により主リンク７１を移動させているが、主リンク７１の移動は、他の駆動形態によって移動させることも可能である。
【００３８】
幅可変機構は、可動壁３５Ｒ、３５Ｌを移動させるための分岐リンク７４Ｒ、７４Ｌを備える。初期状態において分岐リンク７４Ｒ、７４Ｌ間は、両者間が閉じた状態となっている。この初期状態では、可動壁３５Ｒ、３５Ｌ間は、幅の広い状態となっている。なお、この初期状態は、図示しないバネ等の弾性部材によって維持されている。主リンク７１が初期状態から下方向（Ｙ軸負の方向）に移動すると、主リンク７１の先端に設けられた突起部７１ｂが、分岐リンク７４Ｒ、７４Ｌ間の間隔を押し広げて、分岐リンク７４Ｒ、７４Ｌに連動する可動壁３５Ｒ、３５Ｌを幅の狭い状態に変更する。
【００３９】
主リンク７１には傾斜部７１ｃが形成されている。図６には、紙幣収納機構側の構成であるスタックシャフト４１４とスタックローラ４１４ａが示されている。スタックシャフト４１４は、スタックシャフトガイド４１５（図１３にて説明する）によって、Ｚ軸方向に移動可能に構成されている。主リンク７１が上方向（Ｙ軸正の方向）に移動すると、スタックローラ４１４ａは、主リンク７１に設けられた傾斜部７１ｃに乗り上げ、スタックシャフト４１４をＺ軸正の方向に移動させる。紙幣収納機構４１は、スタックシャフト４１４の動作に連動して、図４で説明した押圧部４１１を紙幣収納部４２３側に移動させ、搬送されてきた紙幣を紙幣収納部４２３に格納させる。紙幣収納機構４１の構成、動作については、後で詳しく説明を行う。
【００４０】
では、幅可変機構について、図７〜図１０を用いてその詳細を説明する。図７には、搬送ユニット２０について、紙幣搬送路１５の幅可変の様子が示されている。図７（Ａ−１）、図７（Ａ−２）は、紙幣搬送路１５の幅（Ｗ１）が広い状態であり、図７（Ａ−１）は搬送ユニット２０の正面図、図７（Ａ−２）は搬送ユニット２０の斜視図である。図７（Ｂ−１）、図７（Ｂ−２）は、紙幣搬送路１５の幅（Ｗ２）が狭い状態であり、図７（Ｂ−１）は搬送ユニット２０の正面図、図７（Ｂ−２）は搬送ユニット２０の斜視図である。
【００４１】
図７（Ａ−２）、図７（Ｂ−２）には、可動壁３５Ｒ、３５Ｌを移動させるための第１係合部７４１Ｒ、７４１Ｌが示されている。図７（Ａ−２）と図７（Ｂ−２）を比較してみると、第１係合部７４１Ｒ、７４１Ｌの位置が異なっていることが見て取れる。これら第１係合部７４１Ｒ、７４１Ｌを駆動機構で操作することで、可動壁３５Ｒ、３５Ｌの位置が変更される。
【００４２】
図８〜図１０には、本発明の実施形態に係る連動機構について幅可変機構の動作の様子が示されており、各図の（Ａ）は、連動機構をＺ軸負の方向から眺めた図であり、各図の（Ｂ）は、連動機構中、カム７２周辺の構成についてＺ軸正の方向から眺めた図である。図８は連動機構が動作する前の初期状態である。図９は連動機構の動作によって可動壁３５Ｒ、３５Ｌが移動し、紙幣搬送路の幅（Ｗ２）が狭い状態である。図１０は連動機構の動作によって紙幣収納機構４１が動作している状態であって、紙幣収納機構４１の押圧部４１１が上死点（最もプレート４２１側に移動している状態）に位置するときの状態が示されている。
【００４３】
本実施形態では、駆動機構が有する第２駆動源３２の駆動力によって、可動壁３５Ｒ、３５Ｌの駆動機構と、紙幣収納機構４１を駆動する。なお、本実施形態の第２駆動源３２はＡＣモータであって、第２駆動源３２で発生した駆動力は、ギア等の伝達部７３によってカム７２を回転させる駆動力に変換される。図８（Ｂ）に示されるようにカム７２には、回転中心から外れた位置にカム突起７２ａが形成されており、主リンク７１側の係合孔７１ａと噛み合っている。カム７２が回転することで、主リンク７１を上下方向（Ｙ軸方向）に移動させる。
【００４４】
主リンク７１の上端には突起部７１ｂが形成されており、カム７２の回転による主リンク７１の下方への移動に伴い、分岐リンク７４Ｒ、７４Ｌの下端に設けられた第１係合部７４１Ｒ、７４１Ｌに当接し、分岐リンク７４Ｒ、７４Ｌの下端の間隔を押し広げる。分岐リンク７４Ｒ、７４Ｌの下端は、図示しないバネ等の弾性部材により間隔の狭い状態を維持している。分岐リンク７４Ｒ、７４Ｌは、回動部７４２Ｒ、７４２Ｌを介して、筐体１１側のフレーム７５と回動可能に係合している。分岐リンク７４Ｒ、７４Ｌの上端は、第２係合部７４３Ｒ、７４３Ｌを介して可動壁３５Ｒ、３５Ｌと係合している。
【００４５】
このような構成により、主リンク７１が下方に移動した場合、左右の分岐リンク７４Ｒ、７４Ｌの下端の間隔は押し広げられ、左右の分岐リンク７４Ｒ、７４Ｌの上端の間隔は狭められる。したがって、主リンク７１が下方へ移動することで、可動壁３５Ｒ、３５Ｌ間の距離、すなわち、搬送路の幅は広い状態（図８のＷ１）から、狭い状態（図９のＷ２）に変更される。
【００４６】
また、本実施形態における可動壁３５Ｒ、３５Ｌの駆動機構は、紙幣収納機構４１の駆動機構と第２駆動源３２を共用する連動機構となっている。紙幣収納機構４１は、主リンク７１の上方への移動にしたがって、押圧部４１１を紙幣収納箱４２側へと移動させ、固定壁５０内に位置する紙幣を紙幣収納部４２３へと収納させることが可能である。図１０は、カム７２のカム突起７２ａが最も上方に位置する状態、すなわち、主リンク７１が最も上方に押し上げられた状態が示されている。この状態では、図６で説明した紙幣収納機構４１側のスタックローラ４１４ａが主リンク７１の傾斜部７１ｃに乗り上げた状態となり、紙幣収納機構４１の押圧部４１１を移動させる。図１０に示される状態は、押圧部４１１が上死点に位置する状態である。
【００４７】
このように、連動機構では、挿入された紙幣の幅に応じて、可動壁３５Ｒ、３５Ｌを移動させることで、可動壁３５Ｒ、３５に沿って紙幣を搬送路中央部に寄せて搬送するとともに、紙幣収納機構４１を動作させることで、搬送された紙幣を紙幣収納部４２３に格納することが可能である。図４において、紙幣搬送路１５中、斜線で示す箇所が可動壁３５Ｒ、３５Ｌによって、その幅が規制される部分である。
【００４８】
なお、本実施形態における紙幣処理装置は、可動壁３５Ｒと３５Ｌの位置を検出する図示しない複数のフォトインタラプタが設けられており、これにより紙幣処理装置の主制御部は搬送路の幅が狭い状態なのか、広い状態なのかを認識可能としている。
【００４９】
紙幣搬送路１５を通過した紙幣は、その幅に応じて、固定壁５０Ｒ、５０Ｌ内に形成された第１分岐搬送路５５Ａ、もしくは、第２分岐搬送路５５Ｂへと搬送される。この固定壁５０Ｒ、５０Ｌは、その名が示すように、可動壁３５Ｒ、３５Ｌと異なり、固定された部材である。このように、本実施形態では、可動壁３５Ｒ、３５Ｌによって形成される部分と、固定壁５０Ｒ、５０Ｌによって構成される部分を分離することで、可動部分の占める部分を少なく抑え、コスト面、メンテナンス面において優れた構成となっている。また、図３に示すように、可動壁３５Ｒ、３５Ｌ部分を含む搬送ユニット２０として、筐体１１から分離可能な構成とすることも可能であり、製造工程の容易化、並びに、メンテナンス性能の向上を図ることも可能である。
【００５０】
では、固定壁５０Ｒ、５０Ｌによって形成される第１分岐搬送路５５Ａ、第２分岐搬送路５５Ｂの構成について説明する。固定壁５０Ｒ、５０Ｌは、可動壁３５Ｒ、３５Ｌにて形成される紙幣搬送路１５によって搬送されてきた紙幣を、振分のための可動部を有することなく、紙幣の幅に応じて、第１分岐搬送路５５Ａもしくは第２分岐搬送路５５Ｂに導くことを可能としている。
【００５１】
図１１は、本発明の実施形態に係る紙幣収納箱４２近傍の構成を示す斜視図である。図１２は、本発明の実施形態に係る固定壁５０Ｒ、５０Ｌ、可動壁３５Ｒ、３５Ｌが形成する紙幣搬送路を説明する図であって、図１２（Ａ）は、固定壁５０Ｒ、５０Ｌを紙幣の入口側から眺めた（図１１において、Ｙ軸負の方向を眺めた）図であり、図１２（Ｂ−１）、図１２（Ｂ−２）は、可動壁３５Ｒ、３５Ｌを紙幣の出口側から眺めた（図１１において、Ｙ軸正の方向を眺めた）図である。図１２（Ｂ−１）は、狭い幅（Ｗ２）の状態であり、図１２（Ｂ−２）は、広い幅（Ｗ１）の状態である。
【００５２】
左右の固定壁５０Ｒ、５０Ｌは、第１壁５１Ｒ、５１Ｌ、第２壁５２Ｒ、５２Ｌ、第１壁５１Ｒ、５１Ｌと第２壁５２Ｒ、５２Ｌの間に配置された隔壁５３Ｒ、５３Ｌを有して構成されている。第１壁５１Ｒ、５１Ｌと隔壁５３Ｒ、５３Ｌの間の空間は、広い幅（Ｗ１’）の第１分岐搬送路５５Ａを形成する。一方、第２壁５２Ｒ、５２Ｌと隔壁５３Ｒ、５３Ｌの間の空間は、狭い幅（Ｗ２’）の第２分岐搬送路５５Ｂを形成する。第２分岐搬送路５５Ｂの左右両端には、傾斜面５４Ｒ、５４Ｌが形成されている。図１１には、左側に位置する傾斜面５４Ｌ側の形状がよく見て取れる。
【００５３】
可動壁３５Ｒ、３５Ｌによって形成される紙幣搬送路１５は、幅の狭い第２分岐搬送路５５Ｂと向き合って位置している。したがって、幅の狭い紙幣は紙幣搬送路１５から第２分岐搬送路５５Ｂへと搬送される。一方、紙幣搬送路１５から搬送されてきた幅の広い紙幣は、その左右両端が傾斜面５４Ｒ、５４Ｌを沿うこととなり、第１分岐搬送路５５Ａへと搬送される。したがって、固定壁５０Ｒ、５０Ｌ側に搬送されてきた紙幣は、その幅に応じて、第１分岐搬送路５５Ａもしくは第２分岐搬送路５５Ｂ内に搬送される。
【００５４】
第１分岐搬送路５５Ａ、第２分岐搬送路５５Ｂは、それぞれ幅の広い紙幣、幅の狭い紙幣に適した幅となっているため、紙幣の中心位置と各分岐搬送路５５Ａ、５５Ｂの中心位置が略一致した状態とすることが可能となる。
【００５５】
次に、搬送されてきた紙幣を紙幣収納部４２３に収納する紙幣収納機構４１について、その構成、動作を説明する。図１３は、本発明の実施形態に係る紙幣収納機構４１の構成を説明するための断面図であり、図１４は、本発明の実施形態に係る紙幣収納機構４１の動作を説明するための断面図である。
【００５６】
図１３（Ａ）は、紙幣収納機構４１の待機状態（紙幣処理装置１の初期状態を含む）を示した図であり、図１３（Ｂ）は、紙幣収納機構４１の動作時（押圧部４１１の上死点）を示した図である。紙幣収納機構４１は、図１３（Ａ）の待機状態から、主リンク７１の上方への移動に伴い、パンタグラフ機構の交叉する位置の軸に設けられスタックローラ４１４ａが主リンク７１に設けられた傾斜部７１ｃに押されて、紙幣収納部４２３側に移動する。
【００５７】
紙幣収納機構４１は紙幣を、分岐搬送路５５Ａ、５５Ｂ側から紙幣収納部４２３側に押し込む押圧部４１１（リフトテーブル）を備える。押圧部４１１はパンタグラグ機構を利用して、分岐搬送路５５Ａ、５５Ｂから紙幣収納部４２３方向に略直線的に移動する。このように、押圧部４１１を紙幣収納部４２３側へ押し込む機構に、パンタグラフ機構を採用することで、押圧部４１１の姿勢を維持したまま、直線的に移動させる部材（ガイド）を別途設ける必要が無く、部品点数が少なく、装置の小型化が可能である。
【００５８】
押圧部４１１を移動させるパンタグラフ機構は、第１アーム４１２と第２アーム４１３の組を２組備えている。図１３は断面図であるため、第１アーム４１２と第２アーム４１３の１組しか見えないが、実際には、奥行き方向に設けられた、もう１組の第１アーム４１２と第２アーム４１３を有し、押圧部４１１は、２組の第１アーム４１２と第２アーム４１３によって支えられている。
【００５９】
第１アーム４１２と第２アーム４１３の略中央には、両者を回動可能に係合するための孔（図示せず）が形成されており、この孔には、スタックシャフト４１４が嵌挿されている。このスタックシャフト４１４には、スタックローラ４１４ａが回転自在に取り付けられている。また、スタックシャフト４１４は、筐体１１側に固定されたスタックシャフトガイド４１５によって、左右方向（Ｚ軸方向）に移動可能としている。
【００６０】
第１アーム４１２は、押圧部４１１と回転自在に連結するボス４１２ａと、筐体１１側と回転自在に連結する４１２ｂを備える。第２アーム４１３は、筐体１１側と回転自在に連結する４１３ａと、押圧部４１１に設けられた長孔４１１ａ回転及び摺動自在に連結するボス４１３ｂを備える。押圧部４１１は、筐体１１に対してバネ４１６によって常時、筐体１１の前面側へ付勢されている。このように構成されたパンタグラフ機構によって、押圧部４１１が紙幣収納部４２３方向（Ｚ軸負の方向）に略直線的に往復移動を可能としている。
【００６１】
次にこのパンタグラフ機構の動作について説明する。パンタグラフ機構は、図６等で説明したように、カム７２の回転によって上下方向に移動する主リンク７１によって動作する。図６に示されるように、主リンク７１には、傾斜部７１ｃが設けられており、主リンク７１が上方に移動した場合、紙幣収納機構４１のスタックローラ４１４ａが傾斜部７１ｃに乗り上げ、スタックシャフト４１４をＺ軸正の方向に移動させる。図１３（Ｂ）に示されるように、スタックシャフト４１４の移動は、パンタグラフ機構を開く方向へと動作させ、押圧部４１１を紙幣収納部４２３側へと略直線的に移動させる。
【００６２】
本実施形態において、主リンク７１の上下方向の移動は、図８〜図１０で説明したようにカム７２の回転運動によって行われている。カム７２には、その回転中心から外れた位置にカム突起７２ａが設けられており、このカム突起７２ａは、主リンク７１側に設けられた左右（Ｘ軸方向）に長い係合孔７１ａと嵌合している。カム７２は、第２駆動源３２の駆動力に基づいて回転運動し、主リンク７１をＹ軸方向に移動させ、紙幣収納機構４１を図１３（Ａ）の状態から図１３（Ｂ）の状態へと変化させ、紙幣を紙幣収納部４２３に格納する。その後、紙幣収納機構４１を図１３（Ｂ）の状態から図１３（Ａ）の状態へと復帰させ、次の紙幣を格納するために備える。
【００６３】
図１４は、第２分岐搬送路５５Ｂ内に搬送された幅の狭い紙幣Ｂが、紙幣収納箱４２内の紙幣収納部４２３へと収納される様子を示した断面図である。なお、第１分岐搬送路５５Ａ内に搬送された幅の広い紙幣についても同様の工程で収納される。
【００６４】
図１４（Ａ）に示すように、第２分岐搬送路５５Ｂ内へ紙幣Ｂの搬送が完了した場合、図１４（Ｂ）に示すように紙幣収納機構４１の動作により、押圧部４１１が下方へと移動を開始する。押圧部４１１にて下方へと押下された紙幣Ｂは、円錐コイルばね４２２で支えられたプレート４２１を下方へと押し下げ、紙幣収納部４２３へと収納される。図１４（Ｃ）に示されるように、紙幣収納機構４１の動作により押圧部４１１は、上方に復帰することとなるが、紙幣Ｂの両端は、紙幣収納箱４２の端部等によって、紙幣収納部４２３内に収納された状態を維持する。
【００６５】
以上、紙幣収納機構４１の構成、動作について説明を行ったが、本実施形態の紙幣処理装置１では、紙幣収納機構と幅可変機構とを連動機構によって動作させることで、部品点数の削減並びに簡略化を図り、紙幣処理装置１の小型化、低コスト化、並びにメンテナンス性の向上が図られている。
【００６６】
なお、本実施形態における紙幣処理装置は、押圧部４１１が図１３（Ａ）に示す紙幣収納機構４１の待機状態（紙幣処理装置１の初期状態を含む）に位置することを検出する図示しないフォトインタラプタが設けられており、これにより紙幣処理装置の主制御部は押圧部４１１が待機状態にあることを認識できる。
【００６７】
図１５は、本発明の実施形態に係るカム７２の回転状態に対する各種状態を示したものである。カム７２は、紙幣処理装置１の正面から眺めたときに、反時計回りに回転を行う。挿入された紙幣を紙幣収納部４２３へと収納する場合、カム７２は１回転することで一連の動作を行う。図１５（Ａ）は、紙幣が挿入される前の初期状態（このときの主リンク７１の位置は、本発明における「基準位置」に相当する）が示されている。図１５（Ａ）の状態では、可動壁３５Ｒ、３５Ｌ間は幅の広い状態となっている。また、紙幣収納機構４１は図１３（Ａ）に示す待機状態となっている。
【００６８】
紙幣が挿入され、入口センサにて幅の狭い紙幣と判定された場合、カム７２を回転させて図１５（Ｂ）の状態、すなわち、可動壁３５Ｒ、３５Ｌ間の幅を狭めた状態（このときの主リンク７１の位置は、本発明における「第１の位置」に相当する）に変化させ、搬送ベルト２４Ｒ、２４Ｌを駆動して紙幣の搬送を開始する。
【００６９】
紙幣が紙幣収納部４２３に対向する位置に移動させた後、カム７２をさらに回転させることで、紙幣収納機構４１を動作開始させ（図１５（Ｃ））、図１３（Ｂ）に示されるように押圧部４１１を上死点（このときの主リンク７１の位置は、本発明における「第２の位置」に相当する）に位置させ（図１５（Ｄ））、紙幣搬送機構によって搬送されてきた紙幣を、紙幣収納機構４１にて紙幣収納部４２３に収納させる。その後、カム７２をさらに回転させ、紙幣収納機構４１の動作を終了させる（図１５（Ｅ））。カム７２は、図１５（Ｅ）の状態からさらに回転して図１５（Ａ）の初期状態へと復帰する。
【００７０】
一方、入口センサにて幅の広い紙幣と判定された場合、紙幣挿入直後は、カム７２を回転させることなく、可動壁３５Ｒ、３５Ｌ間は幅の広い状態を維持した状態で、搬送ベルト２４Ｒ、２４Ｌを駆動して紙幣の搬送を開始する。紙幣が紙幣収納部４２３に対向する位置に移動させた後、カム７２の回転を開始させ、図１５（Ｂ）の状態を経た後、幅の狭い紙幣の場合と同様、図１５（Ｃ）、図１５（Ｄ）、図１５（Ｅ）を経ることで、紙幣収納機構４１を動作させ、搬送されてきた紙幣を紙幣収納部４２３へと格納する。そして、カム７２は、図１５（Ｅ）の状態からさらに回転して図１５（Ａ）の初期状態へと復帰する。
【００７１】
このように本実施形態の紙幣処理装置１は、可動壁３５Ｒ、３５Ｌの幅可変のタイミングと、紙幣収納機構４１の動作タイミングを考慮し、幅可変機構と紙幣収納機構４１を連動動作させている。
【００７２】
以上説明した紙幣処理装置１についてその制御を説明する。図１６には、本発明の実施形態に係る紙幣処理装置１の制御構成を示すブロック図が示されている。紙幣処理装置１は、制御部８１を中心とした各種構成を備えている。制御部は、ＣＰＵ、制御のためのプログラムを記憶したＲＯＭ、センサ類の出力をデジタル変換するＤ／Ａ変換部、センサ類からの出力を一時的に記憶するＲＡＭなどを有して構成されている。紙幣処理装置１に設けられたセンサ類としては、紙幣挿入口１２ａの近傍に設けられ、紙幣の挿入、及び、紙幣の幅を検出する入口センサ６０Ａと、紙幣の真贋判定、種別判定を行う識別センサ６０Ｂを有している。
【００７３】
紙幣搬送機構には、駆動プーリ２１を回転駆動させ、搬送ベルト２４Ｒ、２４Ｌにて紙幣を搬送する第１駆動源３１、紙幣収納箱４２に紙幣を格納させる紙幣収納機構４１と、幅の異なる紙幣に対応するための可動壁３５Ｒ、３５Ｌを動作させる第２駆動源３２を有している。なお、本実施形態の紙幣搬送機構は、搬送ベルト２４Ｒ、２４Ｌにより紙幣を搬送するものとして説明を行ったが、搬送ベルト２４Ｒ、２４Ｌに代えてローラにより紙幣を搬送する紙幣搬送機構を採用することも可能である。
【００７４】
図１７には、本発明の実施形態に係る紙幣処理装置１の紙幣受入処理を示すフロー図が示されている。紙幣受入処理は、紙幣処理装置１に対する電源投入後、Ｓ１０１〜Ｓ１１２の処理を繰り返し実行する。入口センサ６０Ａにて紙幣の挿入が検出された場合（Ｓ１０１：Ｙｅｓ）、入口センサ６０Ａの出力信号に基づき、挿入された紙幣の幅が判定される。判定された紙幣の幅が第２の幅（幅狭）の場合（Ｓ１０２：第２の幅）、紙幣の幅の検出直後の第１のタイミングで第２駆動源３２を駆動開始し、可動壁３５Ｒ、３５Ｌを幅の狭い状態に変化させる（Ｓ１０３）。挿入された紙幣の幅に適した搬送路幅に変更した後、第１駆動源３１を駆動開始して、紙幣の搬送を開始する（Ｓ１０４）。
【００７５】
一方、判定された紙幣の幅が第１の幅（幅広）の場合（Ｓ１０２：第１の幅）、第１駆動源３１を駆動開始して紙幣の搬送を開始する（Ｓ１０５）。可動壁３５Ｒ、３３５Ｌの初期状態は、図１０（Ｂ−２）で示すように幅（Ｗ１）の状態、すなわち、幅広の紙幣に適合した状態となっている。このように、挿入された紙幣の幅に応じて、紙幣搬送路１５の幅を適切な状態とすることで、挿入された紙幣を安定して搬送することを可能としている。また、適切な紙幣搬送路１５の幅を使用して紙幣を搬送することで、紙幣搬送路１５に設けられた識別センサ６０Ｂ（発光素子６５と受光素子６６）によって、搬送される紙幣の所定位置を検出し、識別精度の向上を図ることも可能となる。
【００７６】
紙幣搬送路１５内での紙幣搬送過程において、紙幣搬送路１５の途中をシャッター４５にて閉鎖後、識別センサ６０Ｂにて紙幣の真贋判定、種別判定が行われる（Ｓ１０６）。真贋判定は紙幣が本物であるか偽物であるかについての判定であり、種別判定は複数種の紙幣の中から何れの紙幣種別であるかの判定である。識別センサ６０Ｂによる真贋判定にて、挿入された紙幣が本物である場合（Ｓ１０７：Ｙｅｓ）、搬送機構にて紙幣を固定壁５０Ｒ、５０Ｌで形成された第１分岐搬送路５５Ａもしくは第２分岐搬送路５５Ｂに搬送する（Ｓ１０８）。そして、第２駆動源３２を駆動して紙幣収納機構４１を動作させ、紙幣を紙幣収納部４２３に収納する（Ｓ１０９）。
【００７７】
紙幣収納部４２３への紙幣収納に伴い、Ｓ１０６で判定された紙幣種別に対応する金額が挿入金額として加算される（Ｓ１１０）。そして、第１駆動源３１、第２駆動源３２の駆動を停止するとともに、ソレノイド４６を駆動停止して紙幣搬送路１５を開放状態に戻す（Ｓ１１１）。
【００７８】
一方、識別センサ６０Ｂによる真贋判定にて、挿入された紙幣が偽札である場合（Ｓ１１２：Ｎｏ）、搬送機構を反転駆動して、紙幣を逆方向（紙幣挿入口１２ａ側）に搬送する。紙幣の排出が確認された場合（Ｓ１１３：Ｙｅｓ）、第１駆動源３１、第２駆動源３２、ソレノイド４６を駆動停止させる（Ｓ１１１）。
【００７９】
以上、紙幣処理装置１を例として説明を行ったが、本発明に係る紙葉類処理装置は、紙葉類として、紙幣のみならず、金券、クーポン券、有価証券など各種紙葉類を識別対象とすることが可能である。
【００８０】
では、本発明の実施形態に係る紙幣処理装置１について他の実施形態を説明する。電車の切符の自動販売機等、紙幣処理装置１を内蔵する各種装置では、複数の紙幣を受け付け可能とするものがある。このような装置では、複数の紙幣を迅速に取り扱うことが必要であるため、紙幣処理装置１では、紙幣の連続挿入に対応する必要がある。本実施形態は、紙幣の連続挿入を可能とする紙幣受付処理に特徴を有するものである。
【００８１】
図１８は、本発明の実施形態に係るカムの状態に対する各種動作の関係を示す図である。図１８（Ａ）は、図１５で説明した実施形態におけるカム７２の状態に対する各種動作の関係を示した図である。図１８（Ａ）において、主リンク７１は、図１５（Ａ）と同じ基準位置に位置している。図１５で説明したように、カム７２の回転に伴いカム突起７２ａの位置が変化することで、主リンク７１はその位置を上下に変化させる。主リンク７１の位置変化に伴い、可動壁３５Ｒ、３５Ｌの移動による幅可変動作、並びに、紙幣収納機構４１による収納動作が実行される。具体的には、図１８（Ａ）において、主リンク７１が基準位置から下方に移動した場合、幅可変動作が実行される。幅可変動作では、主リンク７１が最も下方（第１の位置）に位置したとき、２つの可動壁３５Ｒ、３５Ｌ間は、幅の狭い紙幣に対応した距離となる。一方、主リンク７１が基準位置から上方に移動した場合、紙幣収納機構４１による収納動作が実行される。なお、基準位置、及び、収納動作中は、２つの可動壁３５Ｒ、３５Ｌ間は、幅の広い紙幣に対応した距離となっている。
【００８２】
前述の実施形態では、カム７２は、図中、反時計回り（正回転）に回転するのみであるため、例えば、最初に幅広の紙幣が挿入された場合、その幅広の紙幣を紙幣収納部４２３に収納するためには、幅可変動作を行った後（第１の位置を通過させた後）に、収納動作を行う必要がある。したがって、次に挿入された紙幣が幅広の紙幣の場合、幅可変動作によって両可動壁３５Ｒ、３５Ｌ間の距離は、幅の狭い紙幣に対応した距離になる為、紙幣の挿入が妨げられることになる。
【００８３】
図１８（Ｂ）は、本実施形態におけるカム７２の状態に対する各種動作の関係を示した図である。本実施形態では、カム７２は、両方向（正回転、逆回転）に回転可能としている。したがって、カム７２の状態に応じてカム７２を正回転、もしくは、逆回転することで、必要のない幅可変動作を実行することなく収納動作を実行することが可能となる。例えば、図１８（Ｂ）の状態において、幅広の紙幣が挿入された場合、カム７２を逆回転（時計回り）に回転させることで、幅可変動作を伴うことなく収納動作を実行することが可能となり、後続の紙幣が幅広の紙幣であっても、その挿入を妨げることがない。なお、後続が幅の狭い紙幣の場合、前の紙幣が格納された後、幅可変動作を行うことで、その位置が適切に調整されることとなる。
【００８４】
このように本実施形態では、カム７２の回転を制御することで、紙幣の連続挿入に対応可能としている。各種構成については前述の実施形態と同様であり、紙幣受入処理について、その処理内容が異なっている。ここでは、本実施形態の紙幣受入処理について、その処理内容を説明する。図１９、図２０には、本発明の他の実施形態に係る紙幣受入処理を示すフロー図が示されている。なお、図１９、図２０、並びに、以下の説明中、括弧書きで示すアルファベット（Ａ）〜（Ｄ）は、それぞれ、図１５の（Ａ）〜（Ｄ）の状態に対応している。図１７で説明した紙幣受入処理では、（Ａ）のカム７２の状態を初期状態としていた。本実施形態では、（Ａ）の状態、あるいは、（Ｃ）の状態（どちらも主リンク７１は基準位置に位置する）を紙幣受入処理におけるカム７２の初期状態としている。
【００８５】
紙幣処理装置１が起動し、紙幣受入処理が開始すると、入口センサ６０Ａにて紙幣の挿入を監視する（Ｓ２０１）。入口センサ６０Ａにて紙幣の挿入が検出された場合（Ｓ２０１：Ｙｅｓ）、入口センサ６０Ａの出力信号に基づき、挿入された紙幣の幅が判定される。紙幣の挿入の判定後、フラグが初期化される（Ｓ２０２）。フラグは、制御部８１内の記憶部に一時的に記憶される識別情報であり、本実施形態では、フラグが「１」の場合を連続した紙幣の挿入が検出された状態、「０」の場合を連続した紙幣の挿入が検出されていない状態としている。入口センサ６０Ａにて検出された紙幣の幅が第１の幅（幅広）の場合（Ｓ２０３：第１の幅）、第１駆動源３１を駆動開始して紙幣の搬送を開始する（Ｓ２１０）。可動壁３５Ｒ、３５Ｌの初期状態は、幅広の紙幣に適合した状態であるため幅可変動作は実行しない。
【００８６】
紙幣は、一時保留位置に達するまで搬送される。一時保留位置とは、紙幣の後端が紙幣搬送路１５中、識別センサ６０Ｂの下流に位置した位置である。紙幣処理装置１は、自動販売機等の紙幣処理装置１が取り付けられた装置（以下、「上位装置」という）と通信を行うための通信部を有するが、図１６に示す制御構成では、上位装置と通信するための通信部を省略して記載している。紙幣が一時保留位置まで搬送されたことを判定した場合（Ｓ２１１：Ｙｅｓ）、第１駆動源３１を停止して紙幣の搬送を停止する（Ｓ２１２）。そして、紙幣の引き抜きを防止するため、紙幣搬送路１５をシャッター４５で閉鎖する。その後、識別センサ６０Ｂで読み取った信号に基づき、紙幣の真贋判定、種別判定を実行する（Ｓ２１３）。
【００８７】
ステップ２０３において入口センサ６０Ａにて検出された紙幣の幅が第２の幅（幅狭）の場合（Ｓ２０３：第２の幅）、制御部８１は、現在のカム７２の位置が、（Ａ）の初期状態、もしくは、（Ｃ）の初期状態であるかを判定する（Ｓ２０４）。現在のカム７２の位置が、（Ａ）の状態である場合、カム７２を（Ｂ）の位置まで正回転させて、２つの可動壁３５Ｒ、３５Ｌ間を、幅の狭い紙幣に対応した距離に変更する幅可変動作を実行する（Ｓ２０５）。一方、現在のカム７２の位置が（Ｃ）の状態である場合、カム７２を（Ｂ）の位置まで逆回転させて、幅可変動作を実行する（Ｓ２０６）。その後、第１駆動源３１を駆動開始して紙幣の搬送を開始（Ｓ２０７）し、紙幣が一時保留位置まで搬送されたこと（Ｓ２０８：Ｙｅｓ）を条件として、第１駆動源３１を停止し、第２駆動源３２によってカム７２を正回転させて（Ｃ）の状態に変更する（Ｓ２０９）。この場合も、第１の幅の紙幣と同様、紙幣の引き抜きを防止するため、紙幣搬送路１５をシャッター４５で閉鎖する。その後、識別センサ６０Ｂで読み取った信号に基づき、紙幣の真贋判定、種別判定を実行する（Ｓ２１３）。
【００８８】
真贋判定の結果、挿入された紙幣が本物である場合（Ｓ２１４：Ｙｅｓ）、制御部８１は、判定した紙幣の種別に基づく金額等を上位装置（自動販売機）に送信する（Ｓ２１５）し、上位装置から一時保留した紙幣を収納部へ収納する指令（以下、収金指令という）を待つ。この収金指令を待つ期間、紙幣は一時保留位置で待機することになるが、本実施形態では、この期間中、入口センサ６０Ａにて、後続する紙幣の挿入（紙幣の連続挿入）を監視する（Ｓ２１６）。紙幣の挿入を検知した場合（Ｓ２１６：Ｙｅｓ）、制御部８１は、フラグを「１」に変更し（Ｓ２１７）、紙幣の挿入を検出したことを上位装置に通知する。制御部８１は、上位装置から収金命令を受信した場合（Ｓ２１８：Ｙｅｓ）、第１駆動源３１を駆動して紙幣を収納可能位置（プレート４２１に対向する位置）まで搬送する（Ｓ２１９）。
【００８９】
一方、真贋判定の結果、挿入された紙幣が本物でない場合（Ｓ２１４：Ｙｅｓ）、制御部８１は、シャッター４５を解放した後、第１駆動源３１を反転駆動して（Ｓ２２０）紙幣を逆方向（紙幣挿入口１２ａ側）に搬送する。第１駆動源３１の反転駆動は、紙幣が排出されるまで（Ｓ２２１：Ｙｅｓ）実行される。ステップ２２２において、現在のカム７２の位置が、（Ｃ）の状態である場合、（Ｄ）、（Ｅ）を順に通過させるように、カム７２を正回転させることによって、収納動作を実行させる（Ｓ２２３）。カム７２は、（Ａ）の位置に達する（Ｓ２２６：Ｙｅｓ）まで回転駆動される。この期間中においても、入口センサ６０Ａによる紙幣の連続挿入の監視（Ｓ２２４）を実行し、連続挿入を検知した場合（Ｓ２２４：Ｙｅｓ）、フラグは「１」に変更される（Ｓ２２５）。
【００９０】
カム７２が（Ａ）の位置に達した後（Ｓ２２６：Ｙｅｓ）、制御部８１は、フラグに基づき、紙幣の連続挿入の有無を判定する（Ｓ２２７）。紙幣の連続挿入ありと判定した場合（Ｓ２２７：Ｙｅｓ）には、カムを停止して（Ｓ２３３）、紙幣受入処理のフローの開始に戻る。その後紙幣処理装置はフローに基づいて連続挿入された紙幣の受け入れを行う。
【００９１】
一方、紙幣の連続挿入を検出していない場合（Ｓ２２７：Ｎｏ）、カム７２を（Ａ）の位置から正回転させ、（Ｃ）の位置に変更する（Ｓ２２８）。先に、カム７２の２つの初期状態（（Ａ）と（Ｃ））を取り得ることを述べたが、本実施形態では、（Ｃ）の位置を好ましい初期状態としている。したがって、紙幣の連続挿入を検出しない場合には、カム７２を正回転させて、（Ｃ）の初期状態に変更している。この場合、幅可変動作を伴うこととなるが、連続挿入された紙幣が存在しないため、問題はない。一方、紙幣の連続挿入を検出した場合には、（Ａ）の状態をそのまま初期状態とし、幅可変動作を実行しない。
【００９２】
一方、ステップ２２２において現在のカム７２の位置が、（Ａ）の状態である場合、まず、紙幣の連続挿入の有無を確認する（Ｓ２２９）。紙幣の連続挿入ありと判定した場合（Ｓ２２９：Ｙｅｓ）、（Ｅ）、（Ｄ）を順に通過させるように、カム７２を逆回転させることで収納動作を実行する（Ｓ２３０）。このように、紙幣の連続挿入がある場合には、カム７２を逆回転させることで収納動作を実行することにより、幅可変動作を伴うことなく収納動作を実行させることが可能である。制御部８１は、収納動作の完了後、カム７２を（Ｃ）の位置となる（Ｓ２３１：Ｙｅｓ）まで逆回転させ、カム７２を停止させる（Ｓ２３２）。この場合、カム７２の位置は、好ましい初期状態のため、カム７２を回転させることなく、紙幣受入処理のフローの開始に戻る。
【００９３】
一方、紙幣の連続挿入なしと判定した場合（Ｓ２２９：Ｎｏ）、（Ｄ）、（Ｅ）を順に通過させるように、カム７２を正回転させることで収納動作を実行（Ｓ２２３）し、後続する処理（Ｓ２２４〜Ｓ２２８）を実行する。
【００９４】
第２駆動源３２や連動機構８２等、各種機構の動作上、カム７２はできる限り正回転させることが好ましい。本実施形態では、連続挿入を検知しない場合（Ｓ２２７：Ｎｏ）には、好ましい初期状態（Ｃ）に変更すること（Ｓ２２８）や、連続挿入を検知しない場合（Ｓ２２９：Ｎｏ）には、カム７２を正回転させることで、収納動作を実行する（Ｓ２２３）ことにより、カム７２の正回転利用率を高めることとしている。
【００９５】
以上、紙幣の連続挿入を可能とする紙幣受入処理について説明を行ったが、本実施形態では、紙幣の連続挿入を検知した場合、幅可変動作を伴うことなく、収納動作を実行することで、両可動壁３５Ｒ、３５Ｌ間の距離が幅の狭い紙幣に対応した距離にならない為（通路幅が狭くならない為）、後続する紙幣の挿入を妨げることがない。
【００９６】
なお、本発明はこれらの実施形態のみに限られるものではなく、それぞれの実施形態の構成を適宜組み合わせて構成した実施形態も本発明の範疇となるものである。
【符号の説明】
【００９７】
１…紙幣処理装置（紙葉類処理装置）            ４６…ソレノイド
１１…筐体                                    ５０Ｒ、５０Ｌ…固定壁
１２…前部カバー                              ５１…第１壁
１２ａ…紙幣挿入口                            ５２…第２壁
１５…搬送路                                  ５３…隔壁
１６４…貫通孔                                ５４…傾斜面
２０…搬送ユニット                            ５５Ａ…第１分岐搬送路
２１Ｒ、２１Ｌ…駆動プーリ                    ５５Ｂ…第２分岐搬送路
２３Ｒ、２３Ｌ…従動プーリ                    ６１Ｒ、６１Ｌ…入口センサ
２４Ｒ、２４Ｌ…搬送ベルト                    ６２…発光素子
２５〜２９（Ｒ、Ｌ）…従動ローラ              ６３ａ、６３ｂ、６３ｃ…導光部
３１…第１駆動源                              ６４…受光素子
３２…第２駆動源                              ６５…発光素子
３５Ｒ、３５Ｌ…可動壁                        ６６…受光素子
４１…紙幣収納機構                            ７１…主リンク
４１１…押圧部                                ７１ａ…係合孔
４１２…第１アーム                            ７１ｂ…突起部
４１２ａ、４１２ｂ…ボス                      ７１ｃ…傾斜部
４１３…第２アーム                            ７２…カム
４１３ａ、４１３ｂ…ボス                      ７２ａ…カム突起
４１４…スタックシャフト                      ７３…伝達部
４１４ａ…スタックローラ                      ７４Ｒ、７４Ｌ…分岐リンク
４１５…スタックシャフトガイド                ７４１Ｒ、７４１Ｌ…第１係合部
４１６…バネ                                  ７４２Ｒ、７４２Ｌ…回動部
４２…紙幣収納箱                              ７４３Ｒ、７４３Ｌ…第２係合部
４２１…プレート                              ７５…フレーム
４２２…円錐コイルばね                        ８１…制御部
４２３…紙幣収納部                            ８２…連動機構
４５…シャッター
【図１】
2015118692.tif 000003
【図２】
2015118692.tif 000004
【図３】
2015118692.tif 000005
【図４】
2015118692.tif 000006
【図５】
2015118692.tif 000007
【図６】
2015118692.tif 000008
【図７】
2015118692.tif 000009
【図８】
2015118692.tif 000010
【図９】
2015118692.tif 000011
【図１０】
2015118692.tif 000012
【図１１】
2015118692.tif 000013
【図１２】
2015118692.tif 000014
【図１３】
2015118692.tif 000015
【図１４】
2015118692.tif 000016
【図１５】
2015118692.tif 000017
【図１６】
2015118692.tif 000018
【図１７】
2015118692.tif 000019
【図１８】
2015118692.tif 000020
【図１９】
2015118692.tif 000021
【図２０】
2015118692.tif 000022